(57)【特許請求の範囲】
【請求項１】
パレット上に対向する一対の第１の側板と該第１の側板に直交する一対の第２の側板とが周壁状に立設され、両側板に取り囲まれた物品収容空間が内方に形成される組み立て式コンテナであって、
前記第２の側板の少なくとも一方に、前記第１の側板に近接する両端部の上縁側にそれぞれ前記第１の側板に対し略平行でかつ外方に向って突出する板状突出部材が設けられるとともに、
前記第２の側板の少なくとも一方に近接する前記第１の側板のそれぞれの少なくとも一方側の端部に、前記第２の側板の前記両端部の上縁側を外方から覆う固定板部が固定されており、
前記固定板部は、前記第２の側板の前記板状突出部を内方側から挿入可能な縦スリットを有し、前記板状突出部は、前記縦スリットに挿入された状態で前記固定板部より外方側に位置する貫通孔を有していることを特徴とする組み立て式コンテナ。
【請求項２】
前記第２の側板の少なくとも一方の前記両端部の上縁側に、前記貫通孔を貫通するよう前記板状突出部に挿入されて前記板状突出部を前記固定板部に対して抜け止めする側板固定位置と、前記貫通孔から離脱して前記板状突出部の前記固定板部に対する抜け止めを解除する固定解除位置とに変位可能な一対の抜け止め部材が設けられていることを特徴とする請求項１に記載の組み立て式コンテナ。
【請求項３】
前記第２の側板の少なくとも一方の前記上縁側に、前記一対の抜け止め部材を側板固定位置と固定解除位置とに変位可能に支持するとともに、前記一対の抜け止め部材が前記側板固定位置にあるとき、前記一対の抜け止め部材の前記側板固定位置側への変位を制限する側板固定機構が設けられていることを特徴とする請求項２に記載の組み立て式コンテナ。
【請求項４】
前記第１および第２の側板が、外周枠部を有する枠材と、前記枠材の片面側に一体的に結合された側面材とを含んで構成されるとともに、前記外周枠部が、前記枠材の内周側に開く凹状の横断面形状をなしており、
前記第１および第２の側板が前記パレット上に周壁状に立設される組立形状下の前記側面材が、前記枠材に対して前記物品収容空間側から離れる外面側に位置するとともに、前記組立形状下の前記外周枠部が、前記物品収容空間側に近い内面側部分の内周縁側で前記側面材に最も近接する曲げ形状を有していることを特徴とする請求項１ないし３のいずれか１項に記載の組み立て式コンテナ。
【発明の詳細な説明】
【技術分野】
【０００１】
本発明は、物流搬送用の組み立て式コンテナに関し、特に物品収容空間を複数の側板で取り囲む組み立て式コンテナに関する。
【背景技術】
【０００２】
従来、輸送時や荷役作業時にはパレット上に周壁状に側板を立設して内部に物品収容空間を有するコンテナ形状に組み立てる一方、返送時等には側板を分解したり折り畳んだりしてコンテナサイズを縮小できるようにした組み立て式コンテナが多用されている。
【０００３】
そのような組み立て式コンテナとしては、例えばフォークリフトでの取り扱いが可能なパレットの上面に下金枠を固定し、その下金枠の内側に四面のパネル状の側板を立設して内部に物品収容空間を形成することで、所定のコンテナ形状とするようにしたものが知られている（例えば、特許文献１参照）。
【０００４】
このコンテナでは、四面の側板を構成する一対の第１の側板と、第１の側板に直交する一対の第２の側板の間を連結する機構として、例えば、図１４に示すような側板固定スピンドル部４８０が採用されていた。
【０００５】
この側板固定スピンドル部４８０においては、組み立て式コンテナが組み立てられ、第１の側板４１０に設置した縦補強枠４２１の押え板４２６の内側に第２の側板４４０の右側枠４５２の外面が接面した状態で、第２の側板４４０の右側枠４５２に設置されている拡がり防止ピン４６５が、第１の側板４１０の押え板４２６に設置されている広がり防止ピン用孔４３５に嵌入する。
【０００６】
この状態で、操作部４８４を操作してスピンドル４８２を突出位置に配置すると、スピンドル先端部４８３が第２の側板４４０の右側枠４５２の外面側の位置に達する。このとき、スピンドル４８２と、右側枠４５２の外面との間には、第１の側板４１０の縦補強枠４２１の押え板４２６が挟持された状態となり、第２の側板４４０が内側に傾倒することが防止される。
【０００７】
この従来の組み立て式コンテナでは、側板固定スピンドル部４８０を一対の第２の側板４４０の上枠４４３近傍の左右両端にそれぞれ設け、各側板固定スピンドル部４８０ごとに、拡がり防止ピン４６５が拡がり防止ピン用孔４３５に嵌入した状態で、操作部４８４でスピンドル先端部４８３が上記突出位置まで突出するよう操作することによって、各一対の第１の側板４１０と第２の側板４４０を四隅で連結してパレット上に周壁状に立設する組立状態とすることができる。
【先行技術文献】
【特許文献】
【０００８】
【特許文献１】実用新案登録第３２０１４６５号公報
【発明の概要】
【発明が解決しようとする課題】
【０００９】
上述したように、従来の組み立て式コンテナは、側板固定スピンドル部４８０が、第１の側板４１０と第２の側板４４０との連結時に、拡がり防止ピン４６５を押え板４２６の拡がり防止ピン用孔４３５に嵌入させ、この状態で、スピンドル４８２を突出位置になるよう操作して当該スピンドル先端部４８３との間に押え板４２６を挟持する構造であった。
【００１０】
この構造によれば、例えば、図１４に示すようにスピンドル４８２を突出位置になるよう操作している状態で、第２の側板４４０が内側に倒れると、つまり矢印Ａ方向に動くと、押え板４２６全体でスピンドル先端部４８３が外方に押されることとなった。同様に、上記の状態で、第１の側板４１０が内側に倒れると、つまり矢印Ｃ方向に動くときにも拡がり防止ピン用孔４３５、拡がり防止ピン４６５に大きな負荷がかかることとなった。
【００１１】
そのため、第１の側板４１０の押え板４２６が図１４中の矢印Ｃ方向に大きく突出してしまう動き、および第２の側板４４０の同図中Ａ方向への動きを規制するためには、側板固定スピンドル部４８０のスピンドル４８２および金枠４９４を同図中Ｃ方向に長くする必要があった。このため、従来の組み立て式コンテナは、側板固定スピンドル部４８０を高剛性でコンパクトなものとすることができないという問題があった。
【００１２】
そこで、本発明は、複数の側板を高剛性に結合できる小型かつ簡素な側板固定機構を有する組み立て式コンテナを提供することを目的とする。
【課題を解決するための手段】
【００１３】
本発明は、上記目的達成のため、パレット上に対向する一対の第１の側板と該第１の側板に直交する一対の第２の側板とが周壁状に立設され、両側板に取り囲まれた物品収容空間が内方に形成される組み立て式コンテナであって、前記第２の側板の少なくとも一方に、前記第１の側板に近接する両端部の上縁側にそれぞれ前記第１の側板に対し略平行でかつ外方に向って突出する板状突出部材が設けられるとともに、前記第２の側板の少なくとも一方に近接する前記第１の側板のそれぞれの少なくとも一方側の端部に、前記第２の側板の前記両端部の上縁側を外方から覆う固定板部が固定されており、前記固定板部は、前記第２の側板の前記板状突出部を内方側から挿入可能な縦スリットを有し、前記板状突出部は、前記縦スリットに挿入された状態で前記固定板部より外方側に位置する貫通孔を有している構成である。
【００１４】
本発明では、板状突出部の貫通孔に何らかの抜止め用の部材をかんぬき状に通すことで、板状突出部を固定板に対して抜け止めすることができる。しかも、第１の側板の両端部上縁側の板状突出部を第２の側板の縦スリットに挿入するので、固定板に対する板状突出部の抜止め方向の力が板状突出部の板面方向となり、かつ、その抜止め方向の力は、第２の側板から第１の側板を覆うように片持ち支持される固定板の基端部に作用することになることで、強固な抜止めが可能となる。
【００１５】
本発明においては、前記第２の側板の少なくとも一方の前記両端部の上縁側に、前記貫通孔を貫通するよう前記板状突出部に挿入されて前記板状突出部を前記固定板部に対して抜け止めする側板固定位置と、前記貫通孔から離脱して前記板状突出部の前記固定板部に対する抜け止めを解除する固定解除位置とに変位可能な一対の抜け止め部材が設けられている構成としてもよい。
【００１６】
また、本発明においては、前記第２の側板の少なくとも一方の前記上縁側に、前記一対の抜け止め部材を側板固定位置と固定解除位置とに変位可能に支持するとともに、前記一対の抜け止め部材が前記側板固定位置にあるとき、前記一対の抜け止め部材の前記側板固定位置側への変位を制限する側板固定機構が設けられているようにしてもよい。
【００１７】
また、本発明において、前記第１および第２の側板が、外周枠部を有する枠材と、前記枠材の片面側に一体的に結合された側面材とを含んで構成されるとともに、前記外周枠部が、前記枠材の内周側に開く凹状の横断面形状をなしており、前記第１および第２の側板が前記パレット上に周壁状に立設される組立形状下の前記側面材が、前記枠材に対して前記物品収容空間側から離れる外面側に位置するとともに、前記組立形状下の前記外周枠部が、前記物品収容空間側に近い内面側部分の内周縁側で前記側面材に最も近接する曲げ形状を有している構成であってもよい。
【発明の効果】
【００１８】
本発明によれば、複数の側板を高剛性に結合できる小型かつ簡素な側板固定機構を有する組み立て式コンテナを提供することができる。
【図面の簡単な説明】
【００１９】
【図１】本発明の一実施の形態に係る組み立て式コンテナの複数の側板をパレット上に周壁状に立設する段階を示す斜視図である。
【図２】図１中の第１と第２の側板同士の相互連結による第１の側板の左上端部上縁側と第２の側板の右上端部上縁側との固定部分を拡大した部分拡大斜視図である。
【図３】図１中の第１と第２の側板同士の相互連結による第２の側板の左上端部上縁側と第１の側板の右上端部上縁側との固定部分を拡大した部分拡大斜視図である。
【図４】図２中のＶＩＩ−ＶＩＩ断面図である。
【図５】本発明の一実施の形態に係る組み立て式コンテナの連結機構による連結手順を示す第１および第２の側板の部分拡大斜視図である。
【図６】図５の連結手順に続く連結手順を示す第１および第２の側板の部分拡大斜視図である。
【図７】図６の連結手順に続く連結手順を示す第１および第２の側板の部分拡大斜視図である。
【図８】本発明の一実施の形態に係る組み立て式コンテナのパレット上に立設された周壁状の側板の縦断面図である。
【図９】本発明の一実施の形態に係る組み立て式コンテナにおける側板の外面図である。
【図１０】本発明の一実施の形態に係る組み立て式コンテナにおける側板の内面図である。
【図１１】図９中のＶＩ−ＶＩ断面図である。
【図１２】本発明の一実施の形態に係る組み立て式コンテナの上蓋装着状態の側面図である。
【図１３】本発明の他の実施の形態に係る組み立て式コンテナにおける側板の要部断面図である。
【図１４】従来例の組み立て式コンテナの側板同士の相互連結による固定部分を拡大した部分拡大斜視図である。
【発明を実施するための形態】
【００２０】
以下、本発明を実施するための形態について、図面を参照しつつ説明する。
【００２１】
図１ないし図１２は、本発明の一実施の形態に係る組み立て式コンテナを示している。
【００２２】
まず、構成について説明する。
【００２３】
図１ないし図１２に示すように、本実施の形態の組み立て式コンテナ１（以下、単にコンテナ１という）は、パレット１０と、そのパレット１０上に固定された下金枠２０と、下金枠２０内でパレット１０上に載置される底板１３と、下金枠２０の内側に接するよう四角筒状（四面構成の周壁状）に立設される複数の側板１４、１５、１６、１７と、これら周壁状に立設された複数の側板１４−１７の上端開口部分を上方から塞ぐ上蓋１９（図１２参照）と、を有している。
【００２４】
このコンテナ１は、パレット１０上に複数の側板１４−１７が周壁状に立設された組立形状下で、複数の側板１４−１７に取り囲まれた物品収容空間１８を形成するものであり、その物品収容空間１８内に所定の物品（例えば、収容形状がコンテナ１の内容積に応じて変化し得る物品もしくは物品群）を収容できるようになっている。
【００２５】
パレット１０は、コンテナ１の基台であって、フォークリフト等による荷役作業が可能な運搬台であり、その台部１１の形状や脚部１２の配置は任意である。
【００２６】
下金枠２０は、複数の金属部材を用い溶接によって一体化された矩形枠体であり、パレット１０の上面に重ねられて固定されている。この下金枠２０は、コンテナ１の組立時に建て付けられ相互に連結される四つの側板１４−１７の各下辺部を外側に広がらないように支持するようになっている。
【００２７】
また、下金枠２０は、コンテナ１の返送等のために周壁状の四つの側板１４−１７の連結が解かれる分解時においてもパレット１０に固定されたままであり、分解された四つの側板１４−１７を底板１３上の所定高さ位置に倒して収納できるようになっている。
【００２８】
具体的には、下金枠２０は、パレット１０上の四隅に配置される四つのコーナー金具２１と、パレット１０上に平行に対向配置され、四つのコーナー金具２１に一体に結合された一対の第１の連結金枠２２と、第１の連結金枠２２に対し直交するよう四つのコーナー金具２１に一体に結合され、互いに平行に対向する一対の第２の連結金枠２３と、を有している。
【００２９】
ここで、四隅のコーナー金具２１は、４面の角筒状に相互連結された側板１４−１７の四隅の各下部を案内し、およびパレット１０上に係止する状態に保持することできる公知のものであり、一対の第１の連結金枠２２および一対の第２の連結金枠２３と協働して、角筒状に相互連結された側板１４−１７の下部を位置決め保持するようになっている。
【００３０】
側板１４−１７は、コンテナ１の組立形状下で四角筒状のパネル形状をなすよう、互いに対面する一対の第１の側板１４、１５と、これら第１の側板１４、１５の間で互いに対面する一対の第２の側板１６、１７とによって構成されている。
【００３１】
第１の側板１４、１５は、それぞれ、外周枠部４１ａを有する枠材４１と、枠材４１の片面側に一体的に結合された側面材４２とを含んで構成されている。また、第２の側板１６、１７は、それぞれ、外周枠部６１ａを有する枠材６１と、枠材６１の片面側に一体的に結合された側面材６２とを含んで構成されている。
【００３２】
また、複数の側板１４―１７は、コンテナ１の組立形状下における側面材４２、６２が枠材４１、６１に対して物品収容空間１８側から離れる外面側に位置するように形状設定されており、第１の側板１４、１５は枠材４１の内方の略全域に及ぶ凹状部分Ｃ１を、第２の側板１６、１７は枠材６１の内方の略全域に及ぶ凹状部分Ｃ２を、それぞれ物品収容空間１８側に開くように形成している。
【００３３】
枠材４１、６１の外周枠部４１ａ、６１ａは、それぞれ一対の平行な縦枠部分４３、６３と、それぞれ一対の平行な横枠部分４４、６４とを有しており、枠材４１、６１のそれぞれの隅部における縦枠部分４３、６３および横枠部分４４、６４の近接端部同士は、連結金具４５、６５によって連結されている。
【００３４】
図１および図２に示すように、第１の側板１４は、その枠材４１の両側端側で一対の縦枠部分４３に沿って延びる一対の所定幅の固定板５１を有しており、側板１４−１７が角筒状に立設されるとき、第１の側板１４の一対の固定板５１は、当該一対の固定板５１にそれぞれ対応して設けられる固定機構７０によって、第２の側板１６、１７に対して鉛直方向の位置決めがなされ、かつ、内側と外側のいずれにも倒れることがない状態で連結されるようになっている。
【００３５】
同様に、第１の側板１５も、その枠材４１の両側端側に一対の所定幅の固定板５１を有しており、側板１４−１７が角筒状に立設されるとき、該一対の固定板５１にそれぞれ対応して設けられる固定機構７０によって、当該一対の固定板５１を介して、第２の側板１６、１７に対して鉛直方向の位置決めがなされ、かつ、内側と外側のいずれにも倒れることがない状態で連結されるようになっている。
【００３６】
固定機構７０は、図２ないし図７に示すように、例えば、第１の側板１４、１５の両端部の上縁側に設けた各一対の板状突出部材６８を、第１の側板１４、１５と隣合う第２の側板１６、１７の固定板５１に設けた各一対の縦スリット５２に挿入した状態で、板状突出部材６８の貫通孔６８ａに対して抜け止め部材をかんぬき状に通すことで、板状突出部材６８を固定板５１に対して抜け止めするタイプのものである。
【００３７】
固定機構７０において、第２の側板１６、１７には、第１の側板１４、１５に近接する左右両端部の上縁側にそれぞれ第１の側板１４、１５に対し略平行でかつ外方に向って突出する各一対の板状突出部材６８が設けられている。板状突出部材６８は、例えば、矩形状の薄板金属部材からなり、第２の側板１６、１７の例えば縦枠部分６３に溶接等により取り付けられている。
【００３８】
板状突出部材６８は、第１の側板１４、１５の各一対の固定板５１にそれぞれ設けられる後述の縦スリット５２に挿入された状態で当該固定板５１より外方側に位置する貫通孔６８ａを有している。図２は、上述した板状突出部材６８のうちの第２の側板１６の第１の側板１４に近接する右端部の上縁側に設けた板状突出部材６８を含む固定機構７０の構造を示し、図３は、第２の側板１６の第１の側板１５に近接する左端部の上縁側に設けた板状突出部材６８を含む固定機構７０の構造を示している。
【００３９】
第１の側板１４、１５の左右両端部には、近接する第２の側板１６、１７の左右両端部の上縁側を外方からそれぞれ覆う一対の固定板５１が設けられる。この一対の固定板５１には、それぞれ、第１の側板１４、１５の板状突出部材６８を内方側から挿入可能な縦スリット５２が設けられる。縦スリット５２のうち、第１の側板１４の第２の側板１６に近接する左端部に設けられた固定板５１と該固定板５１に設けられた縦スリット５２は図２に示され、第１の側板１５の第２の側板１７に近接する右端部に設けられた固定板５１と該固定板５１に設けられた縦スリット５２は図３に示されている。
【００４０】
固定機構７０は、板状突出部材６８を固定板５１に対して抜け止めする抜け止め部材としての側板固定スピンドル部７１を備えている。側板固定スピンドル部７１は、スピンドル７３と該スピンドル７３の軸に対して略直角な連結された操作部７４を有するスピンドル本体７２と、スピンドル本体７２を保持するスピンドル保持部７５を有している。側板固定スピンドル部７１は、例えば、スピンドル本体７２およびスピンドル保持部７５を含む金具で構成され、スピンドル保持部７５の後述する基材７６により溶接等により第２の側板１６、１７の横枠部分６４等に取り付けられている。
【００４１】
スピンドル保持部７５は、当該スピンドル保持部７５を、第２の側板１６、１７の、例えば、横枠部分６４または縦枠部分６３若しくは両者に跨って取り付けるための基材７６、基材７６の長手方向両端部に当該基材７６の上面に垂直に立設された２枚の支持板７７ａ、７７ｂ、基材７６の短手方向端部に当該基材７６の上面に垂直に立設された平板部７９を有する。支持板７７ａ、７７ｂには、スピンドル７３を軸方向（例えば、図５の矢印Ｃ方向およびＤ方向）に移動可能に挿通する挿通孔７８ａ、７８ｂが設けられる。
【００４２】
平板部７９には、操作部７４を軸方向の２箇所の位置で固定保持する溝７９ａ、７９ｂが設けられる。なお、スピンドル７３を軸方向に移動させるには、操作部７４が平板部７９と干渉しないよう、当該スピンドル７３を軸方向に回動させて当該操作部７４を側面材６２から引き起こす必要がある。
【００４３】
平板部７９において、溝７９ａはスピンドル７３を側板固定位置に固定するためのものであり、溝７９ｂはスピンドル７３を固定解除位置に固定するためのものである。側板固定位置は、例えば、図２、図３に示すように、板状突出部材６８が固定板５１の縦スリット５２に挿入された状態において、スピンドル７３を、貫通孔６８ａを貫通するよう板状突出部材６８に挿入させて、板状突出部材６８を固定板５１に対して抜け止めされた状態にすることが可能な位置である。固定解除位置は、例えば、図６に示すように、板状突出部材６８が固定板５１の縦スリット５２に挿入された状態において、スピンドル７３を、貫通孔６８ａから離脱させて、板状突出部材６８の固定板５１に対する抜け止めが解除された状態にすることが可能な位置である。
【００４４】
固定機構７０は、スピンドル７３が側板固定位置に固定された状態で、操作部７４の先端部分７４ａを固定する先端固定部８０をさらに有する。先端固定部８０は、例えば、図２ないし図７に示すように、第２の側板１６、１７の側面材６２上で、かつ、側板固定位置に固定された操作部７４がその軸中心に側面材６２に平行となるように回動された際に先端部分７４ａと係合可能な位置に設けられている。先端固定部８０は、例えば、図４に示すように、側面材６２上に固定された基端部８１と、側面材６２から徐々に離れるように基端部８１から延びる固定板部８２とを有し、固定板部８２の先端には側面材６２から離れる側に折り返された折り返し部８３が形成されている。先端固定部８０は、例えば薄板状の金属部材で構成され、基端部８１が例えばスポット溶接等により側面材６２上に取り付けられている。
【００４５】
先端固定部８０は、側板固定位置に固定された操作部７４がその軸中心に側面材６２に接するまで回動された際に、図３に示すように、操作部７４の先端部分７４ａを固定板部８２と側面材６２の間に挟持する状態に受け入れ、操作部７４を、側面材６２から所定の操作力以下の力では引き起こすことができず、かつ、側面材６２上での固定解除位置方向へ移動できない状態で側面材６２上に保持する。上述の如く先端固定部８０に保持されている操作部７４は、上記所定の操作力を超える力で側面材６２から引き起こすように操作することで上記保持状態を解除することができる。
【００４６】
上述したように、固定機構７０の側板固定スピンドル部７１において、スピンドル７３は、本発明における抜け止め防止部材を構成し、板状突出部材６８が縦スリット５２に挿入された状態で、貫通孔６８ａを貫通するよう板状突出部材６８に挿入されて板状突出部材６８を固定板５１に対して抜け止めする側板固定位置と、貫通孔６８ａから離脱して板状突出部材６８の固定板５１に対する抜け止めを解除する固定解除位置とに変位可能なものである。
【００４７】
また、上記抜け止め防止部材としてスピンドル７３を有する側板固定スピンドル部７１は、固定板５１、縦スリット５２、貫通孔６８ａを有する板状突出部材６８とともに本発明における側板固定機構を構成し、第１の側板１４、１５の左右両端の上縁側に、一対の抜け止め部材を側板固定位置と固定解除位置とに変位可能に支持するとともに、一対の抜け止め部材が側板固定位置にあるとき、一対の抜け止め部材の側板固定位置側への変位を制限するようになっている。
【００４８】
図８ないし図１１に示すように、第１の側板１４、１５の枠材４１は、それぞれの外周枠部４１ａが内周側に開く凹状の横断面形状をなしており、同様に、第２の側板１６、１７の枠材６１は、それぞれの外周枠部６１ａが枠材６１の内周側に開く凹状の横断面形状をなしている。
【００４９】
そして、コンテナ１の組立形状下において、第１の側板１４、１５の側面材４２は、それぞれ対応する枠材４１に対して物品収容空間１８側から離れる外面側（図１１中の右側）に位置し、同様に、第２の側板１６、１７の側面材６２も、それぞれ対応する枠材６１に対して物品収容空間１８側から離れる外面側に位置している。
【００５０】
また、枠材４１の外周枠部４１ａの各横枠部分４４は、物品収容空間１８側に近いそれぞれの内面側部分４４ａの内周縁４４ｂ側で側面材４２に最も近接する曲げ形状を有している。
【００５１】
さらに、枠材４１の外周枠部４１ａにおいては、一対の平行な横枠部分４４のうちコンテナ１の組立形状下の鉛直方向の上方側の横枠部分４４Ｕと下方側の横枠部分４４Ｌとが、互いに異なる凹断面形状を有している。
【００５２】
具体的には、図１１に示すように、各枠材４１の上方側の横枠部分４４Ｕは、その内面側部分４４ａのうち内周縁４４ｂ側の曲げ先端部分４４ｃよりも外周側で、互いに平行な内外の平行面部４４ｄ、４４ｅを有する略コの字形の横断面形状をなしている。そして、上方側の横枠部分４４Ｕの曲げ先端部分４４ｃは、内面側部分４４ａの平行面部４４ｄに対して曲げ内側の角度θ１が１８０°未満、例えば１３５°以下となっている。すなわち、上方側の横枠部分４４Ｕは、外周枠部４１ａの鉛直方向上方側の内面側部分４４ａにて外面に対し略平行な外側の平行面部４４ｄ（平行部分）と、その平行面部４４ｄに一体に結合するとともに内周縁４４ｂ側に近付くほど側面材４２に近接するよう平行面部４４ｄに対し傾斜した傾斜部分とを有している。
【００５３】
一方、各枠材４１の下方側の横枠部分４４Ｌは、その内面側部分４４ｇのうち内周縁４４ｈ側の曲げ先端部分４４ｉよりも外周側で、互いに平行な内外の平行面部４４ｊ、４４ｋを有する略コの字形の横断面形状をなしている。そして、下方側の横枠部分４４Ｌの曲げ先端部分４４ｉは、内面側部分４４ｇの平行面部４４ｊに対して曲げ内側の角度θ２が角度θ１より小さい角度（曲げは大きくなる角度）、例えば９０°程度となっている。すなわち、下方側の横枠部分４４Ｌは、鉛直方向下方側の内面側部分４４ｇにて側面材４２の外面に対し略平行な平行面部４４ｊ（平行部分）と、その平行面部４４ｊに一体に結合するとともに内周縁４４ｈ側で側面材４２に近接するよう平行面部４４ｊに対し略直交する直交部分とを有している。
【００５４】
枠材４１の外周枠部４１ａの各縦枠部分４３は、例えば上方側の横枠部分４４Ｕと同様な横断面形状を有しているが、下方側の横枠部分４４Ｌと同様な横断面形状を有するものであってもよいし、その内面側部分の内周縁側で側面材４２に最も近接する他の曲げ形状となってもよい。
【００５５】
また、外周枠部４１ａの各横枠部分４４（上方側の横枠部分４４Ｕもしくは下方側の横枠部分４４Ｌ）は、それぞれ内外の平行面部４４ｄ、４４ｅ、４４ｊ、４４ｋのうち外面側の平行面部４４ｅ、４４ｋが内周側（図８中の上下方向）に広くなっており、外面側の平行面部４４ｅ、４４ｋが側面材４２に例えばスポット溶接（図９、図１１中の黒丸部）により一体的に結合されている。同様に、外周枠部４１ａの各縦枠部分４３も、外面側の平行面部（符号なし）が側面材４２にスポット溶接により一体的に結合されている。
【００５６】
図１２に示すように、本実施の形態のコンテナ１においては、組立形状下で角筒状に立設される複数の側板１４−１７の上端開口部分は、上蓋１９によって上方から塞がれるが、上蓋１９には、その上蓋１９を四つの側板１４−１７の上端面から外れないように固定するためのゴム掛け式掛止機構３０が設けられている。
【００５７】
ゴム掛け式掛止機構３０は、略四角形の上蓋１９の対向する二辺部の外面に沿って設けられ、その両端を上蓋１９の枠部１９ｆに係止されたゴムバンド３１と、このゴムバンド３１に保持されたフック付係止金具３２と、対向する一対の側板１４、１５あるいは側板１６、１７の上部中央に設けられフック付係止金具３２が離脱可能に係止される輸送時上蓋係止用の第１の固定側係止金具３３と、下金枠２０の前後または左右の一対の外側面中央部に設けられフック付係止金具３２が離脱可能に係止される返送時上蓋係止用の第２の固定側係止金具３４とを有している。なお、図１に示すように、一対の側板１６、１７あるいは側板１４、１５の上部中央に他の蓋部固定機構３５を設けてもよい。
【００５８】
次に、第１の側板１４、１５と第２の側板１６、１７間の隣り合う側板間の連結について説明する。ここでは簡単のために、図２に示した固定機構７０による第１の側板１４と第２の側板１６間での連結手順について図５ないし図７を参照して説明する。
【００５９】
第１の側板１４、１５と第２の側板１６、１７間を連結するためには、まず、第１の側板１４、１５をそれぞれ第１の連結金枠２２の上でかつそれぞれの左右両端のコーナー金具２１の内側に立設した状態とする一方、第２の側板１６、１７をそれぞれ第２の連結金枠２３の上でかつそれぞれの左右両端のコーナー金具２１の内側に立設した状態とする。この状態において、第１の側板１４、１５および第２の側板１６、１７は、図５に示すように、隣合う側板同士が連結されておらず、それぞれ、内側に倒れるような動きが可能となっている。すなわち、第１の側板１４、１５は図５の矢印Ｃ方向とその逆の矢印Ｄ方向へ動く可能性があり、第２の側板１６、１７は図５の矢印Ｃ方向およびＤ方向に直交する矢印Ａ方向とその逆の矢印Ｂ方向へ動く可能性がある。
【００６０】
この状態から、図２に示す固定機構７０により第１の側板１４と第２の側板１６間を連結する場合は、図５において、まず、第２の側板１６を板状突出部材６８の上端部が第１の側板１４の固定板５１の内側位置となるまで内側につまり矢印Ａ方向に倒す。次いで、この状態から、第１の側板１４を内側に、つまり矢印Ｃ方向に倒していくと、その途中で、縦枠部分４３の内側部分が第２の側板１６の縦枠部分６３の外周辺に当接し、それ以上倒れない状態となる。この状態で、第２の側板１６を矢印Ｂ方向に引き戻すと、図６に示すように、第１の側板１４の固定板５１の内側に第２の側板１６の縦枠部分６３の外面が接面し、かつ、板状突出部材６８が第１の側板１４の固定板５１の縦スリット５２に嵌入した状態となる。
【００６１】
板状突出部材６８が固定板５１の縦スリット５２に嵌入した状態（図６参照）とされた後、さらに、図６に示すように、スピンドル７３を溝７９ｂから抜け出るよう軸中心に矢印Ｅ方向へ回動させ、操作部７４が平板部７９に干渉しない状態としたうえで、操作部７４が溝７９ａ上の位置になるまで矢印Ｄ方向に移動させる。この操作により、固定機構７０は、図７に示すように、板状突出部材６８の貫通孔６８ａにスピンドル７３の先端部７３ａがかんぬき状に通された状態となる。
【００６２】
板状突出部材６８の貫通孔６８ａにスピンドル７３の先端部７３ａがかんぬき状に通された状態（図７参照）で、さらに、図７に示すように、操作部７４を操作してスピンドル７３を矢印Ｆ方向に操作部７４が側面材６２に当接するまで軸中心に回動させる。この間、操作部７４が先端固定部８０の折り返し部８３を押圧しつつ当該折り返し部８３を通り過ぎて側面材６２に当接するまで回動されると、図２、図４に示すように、操作部７４の先端部分７４ａが固定板部８２と側面材６２の間に保持された状態に当該操作部７４が側面材６２上に固定される。
【００６３】
図５ないし図７においては、図２に示す固定機構７０による第１の側板１４と第２の側板１６との連結について述べたが、図３に示す固定機構７０による第１の側板１５と第２の側板１６との連結についても同様に行うことができる。また、第２の側板１６の両端部上縁に一対の固定機構７０を設けた場合にも、同様の連結動作が可能である。
【００６４】
次に、作用について説明する。
【００６５】
上述のように構成された本実施の形態の組み立て式コンテナ１は、パレット１０上に対向する一対の第１の側板１４、１５と該第１の側板１４、１５に直交する一対の第２の側板１６、１７とが周壁状に立設され、両側板に取り囲まれた物品収容空間１８が内方に形成されるものである。
【００６６】
この組み立て式コンテナ１においては、各一対の第１の側板１４、１５と第２の側板１６、１７を連結して固定する固定機構７０は、第２の側板１６、１７の少なくとも一方に、第１の側板１４、１５に近接する両端部の上縁側にそれぞれ第１の側板１４、１５に対し略平行でかつ外方に向って突出する板状突出部材６８が設けられるとともに、第２の側板１６、１７の少なくとも一方に近接する第１の側板１４、１５のそれぞれの少なくとも一方側の端部に、第２の側板１６、１７の両端部の上縁側を外方から覆う固定板５１が固定されている。この組み立て式コンテナ１において、固定板５１は、第２の側板１６、１７の板状突出部材６８を内方側から挿入可能な縦スリット５２を有し、板状突出部材６８は、縦スリット５２に挿入された状態で固定板５１より外方側に位置する貫通孔６８ａを有する構成となっている。
【００６７】
この構成により、本実施の形態の組み立て式コンテナ１においては、板状突出部材６８の貫通孔６８ａに何らかの抜止め用の部材をかんぬき状に通すことで、板状突出部材６８を固定板５１に対して抜け止めすることができる。しかも、第２の側板１６、１７の両端部上縁側の板状突出部材６８を第１の側板１４、１５の固定板５１の縦スリット５２に挿入するので、固定板５１に対する板状突出部材６８の抜止め方向の力が板状突出部材６８の板面方向、つまり、図６、図７における矢印Ｃ方向、Ｄ方向となる。しかも、その抜止め方向の力は、第１の側板１４、１５から第２の側板１６、１７を覆うように片持ち支持される固定板５１の基端部に作用することになる。このため、固定板５１に対する板状突出部材６８の強固な抜止めが可能となる。
【００６８】
また、本実施の形態の組み立て式コンテナ１においては、第２の側板１６、１７の少なくとも一方の両端部の上縁側に、貫通孔６８ａを貫通するよう板状突出部材６８に挿入されて該板状突出部材６８を固定板５１に対して抜け止めする側板固定位置と、貫通孔６８ａから離脱して板状突出部材６８の固定板５１に対する抜け止めを解除する固定解除位置とに変位可能な一対の抜け止め部材としてスピンドル７３が設けられている。この構成により、本実施の形態では、一対のスピンドル７３を板状突出部材６８の貫通孔６８ａに貫通させる簡素な抜止め構造となる。
【００６９】
また、本実施の形態の組み立て式コンテナ１においては、第２の側板１６、１７の少なくとも一方の上縁側に、一対のスピンドル７３を側板固定位置と固定解除位置とに変位可能に支持するとともに、一対のスピンドル７３が側板固定位置にあるとき、一対のスピンドル７３の側板固定位置側への変位を制限する固定機構７０が設けられている。
【００７０】
この構成により、一対のスピンドル７３を板状突出部材６８の貫通孔６８ａに係合および離脱させる小型で簡素な固定機構７０を実現でき、軽量で高負荷剛性の組み立て式コンテナ１を行使できる。よって、本実施の形態においては、複数の側板を高剛性に結合できる小型かつ簡素な固定機構７０を有する組み立て式コンテナ１を提供することが可能となる。
【００７１】
なお、上述の一実施の形態においては、第２の側板１６、１７の少なくとも一方の上部両端部の上縁側に、一対の抜け止め部材や側板固定機構（固定機構７０）を配置する構成としているが、第２の側板１６、１７の双方の上部両端部の上縁側に、一対の抜け止め部材や側板固定機構を配置する構成とし得ることは勿論である。
【００７２】
また、上述の一実施の形態においては、第２の側板１６、１７側に、一対の抜け止め部材や側板固定機構を配置する構成としているが、第１の側板１４、１５側に、一対の抜け止め部材や側板固定機構を配置する構成としてもよい。
【００７３】
また、上述の一実施の形態においては、抜け止め部材を、断面円形の直線棒状体（スピンドル７３）としているが、曲線部を有する棒状体としてもよい。また、抜け止め部材は、板状突出部材６８の貫通孔６８ａの形状によっては断面矩形の平板状部材であってもよい。
【００７４】
また、上述の一実施の形態においては、側板固定機構（固定機構７０）を、板状突出部材６８の貫通孔６８ａに何らかの抜止め用の部材をかんぬき状に通すことで、板状突出部材６８を固定板５１に対して抜け止めする構成としたが、抜け止め用の部材を側板固定位置と固定解除位置とに変位可能に支持するとともに、抜け止め用の部材が側板固定位置にあるとき、抜け止め部材の側板固定位置側への変位を制限するものであれば、小型かつ簡素な構成とする配慮下で任意の機構を採用することができる。
【００７５】
また、本実施の形態の組み立て式コンテナ１においては、パレット１０上に複数の側板１４−１７が角筒状に立設される組立形状下で、それぞれの側面材４２、６２が枠材４１、６１の外面側に位置する。したがって、そのコンテナ１の組立形状下で、複数の側板１４−１７に取り囲まれた物品収容空間１８が第１の側板１４、１５の凹状部分Ｃ１および第２の側板１６、１７の凹状部分Ｃ２に入り込むことによって、物品収容空間１８の容積が増大することになる。
【００７６】
しかも、そのコンテナ１の組立形状下の第１の側板１４、１５における枠材４１の外周枠部４１ａが、少なくとも物品収容空間１８側に近い内面側部分４４ａの曲げ先端部分で側面材４２に最も近接する曲げ形状を有し、第２の側板１６、１７も略同様な曲げ形状を有しているので、枠材４１、６１の曲げ剛性が高められるとともに、コンテナ１内の収容物品等に対する保護機能も高まることになる。
【００７７】
また、本実施の形態では、外周枠部４１ａ、６１ａが、コンテナ１の組立形状下における複数の側板１４−１７の鉛直方向の上方側の横枠部分４４Ｕと下方側の横枠部分４４Ｌとでそれぞれ内周側に開くものの互いに異なる凹断面形状を有している。したがって、角筒状に相互連結される複数の側板１４−１７の上部と下金枠２０により案内保持される複数の側板１４−１７の下部とで要求されるそれぞれの剛性や組立作業時の取扱いの容易性等に適した断面形状が容易に設定できる。
【００７８】
さらに、本実施の形態では、枠材４１、６１の外周枠部４１ａ、６１ａが、曲げ先端部分４４ｃ等よりも外周側に互いに平行な内外の平行面部４４ｄ、４４ｅ、４４ｊ、４４ｋ等を有しており、各側板１４−１７の鉛直方向の上端面Ｌ１および下端面Ｌ２、Ｌ３（図８参照）がそれぞれ平坦に形成される。したがって、下金枠２０による安定支持や上蓋１９の安定装着が可能となる。
【００７９】
加えて、複数の側板１４−１７が、組立形状下で四面の角筒状をなすとともに、互いに対面する一対の第１の側板１４、１５と、これら第１の側板１４、１５の間で互いに対面する一対の第２の側板１６、１７とによって構成されている。したがって、第１の側板１４、１５の下端面Ｌ２と第２の側板１６、１７の下端面Ｌ３の高さを相違させることで、例えば下端面Ｌ３の高さが低い第２の側板１６、１７の下端部が内方側に入り込むのを下金枠２０によって規制するとともに、それら第２の側板１６、１７によって他の一対の第１の側板１４、１５の下端部が内方側に入り込むのを規制することができ、角筒状に相互連結される複数の側板１４−１７からなる周壁の剛性を高めることができる。勿論、第２の側板１６、１７側の凹状部分Ｃ２を下方側に広くできることはいうまでもない。
【００８０】
また、本実施の形態の組み立て式コンテナ１は、組立形状下で複数の側板１４−１７の鉛直方向の上端側に係合する上蓋１９を併有している。したがって、複数の側板１４−１７からなる周壁の上部開口を閉止するだけでなく、複数の側板１４−１７の上端部が外方側に変位するのをより確実に規制でき、軽量なパネル状の側板１４−１７を用いながらも、高剛性の組み立て式コンテナ１とすることができる。
【００８１】
本実施の形態では、また、枠材４１の鉛直方向上端側に位置する外周枠部４１ａの曲げ先端部分４４ｃが、平行面部４４ｄから内周縁４４ｂ側に近付くほど側面材４２に近接するよう平行面部４４ｄに対し傾斜した傾斜部分を有しているので、側板１４をコンテナ１の開方向に回動させて収容物を外に出し易くすることができる。しかも、枠材４１の鉛直方向下端側に位置する外周枠部４１ａの曲げ先端側部分４４ｉが、内周縁４４ｈ側で側面材４２に近接するよう平行面部４４ｊに対し略直交する直交部分となっているので、コンテナ１の内容物が外周枠部４１ａに接触して傷付くことも有効に抑制できることになる。
【００８２】
このように、本実施の形態においては、側板１４−１７の枠材４１、６１が内側（内周側および内面側）に開く凹断面形状を有するような場合でも、側板１４−１７の片面側の凹状部分Ｃ１、Ｃ２のような凹形状を物品収容空間１８側に配置でき、物品輸送時の内容積を大きくすることができる。
【００８３】
なお、上述の一実施の形態においては、側板１４−１７の枠材４１、６１に側面材４２、６２をスポット溶接等により一体的に結合させるものとしたが、図１３に示すように、第１の側板１４、１５の枠材４１は、側面材４２と同一の板金素材で一体に形成され、その周辺部を曲げ加工されたものであってもよいし、第２の側板１６、１７の枠材６１も、側面材６２と同一の板金素材で一体に形成され、その周辺部を曲げ加工されたものでもよい。
【００８４】
また、上述の一実施の形態においては、組み立て式コンテナ１は、複数、例えば４枚の平坦なパネル状の側板１４―１７によって角筒状（上蓋１９を含め直方体形状）のコンテナ１を構成するものとしたが、平坦な３枚以上の側板によって多角形の筒状の周壁が形成されるものであってもよいし、湾曲、例えば円弧端面に湾曲した複数の側板によって円筒状その他の非多角形の筒状の周壁を有するようにしてもよい。
【００８５】
以上説明したように、本発明の組み立て式コンテナは、複数の側板を高剛性に結合できる小型かつ簡素な側板固定機構を有する組み立て式コンテナを提供することができるものであり、物品収容空間を複数の側板で取り囲む組み立て式コンテナ全般に有用である。
【符号の説明】
【００８６】
１  コンテナ（組み立て式コンテナ）
１０  パレット
１１  台部
１２  脚部
１３  底板
１４、１５  側板（第１の側板）
１６、１７  側板（第２の側板）
１８  物品収容空間
１９  上蓋
１９ｆ  枠部
２０  下金枠
２１  コーナー金具
２２  第１の連結金枠
２３  第２の連結金枠
３０  ゴム掛け式掛止機構
３１  ゴムバンド
３２  フック付係止金具
３３  第１の固定側係止金具
３４  第２の固定側係止金具
４１、６１  枠材
４１ａ、６１ａ  外周枠部
４２、６２  側面材
４３、６３  縦枠部分
４４、６４  横枠部分
４４ａ、４４ｇ、６３ａ、６４ａ  内面側部分
４４ｂ、４４ｈ  内周縁
４４ｃ、４４ｉ、６３ｃ、６４ｃ  曲げ先端部分
４４ｄ、４４ｅ、４４ｊ、４４ｋ  平行面部
４４Ｌ  横枠部分（下方側の横枠部分）
４４Ｕ  横枠部分（上方側の横枠部分）
４５、６５  連結金具
５１  固定板（固定板部、側板固定機構）
５２  縦スリット（側板固定機構）
６８  板状突出部材（側板固定機構）
６８ａ  貫通孔（側板固定機構）
７０  固定機構
７１  側板固定スピンドル部（抜け止め部材、側板固定機構）
７３  スピンドル
７３ａ  先端部
７４  操作部
７４ａ  先端部分
７５  スピンドル保持部
８０  先端固定部
８２  固定板部
Ｃ１、Ｃ２  凹状部分
θ１、θ２  曲げ内側の角度
【図１】
0006988410.tif 000002
【図２】
0006988410.tif 000003
【図３】
0006988410.tif 000004
【図４】
0006988410.tif 000005
【図５】
0006988410.tif 000006
【図６】
0006988410.tif 000007
【図７】
0006988410.tif 000008
【図８】
0006988410.tif 000009
【図９】
0006988410.tif 000010
【図１０】
0006988410.tif 000011
【図１１】
0006988410.tif 000012
【図１２】
0006988410.tif 000013
【図１３】
0006988410.tif 000014
【図１４】
0006988410.tif 000015